(57)【特許請求の範囲】
【請求項１】
仕切板によって内部が区画されるとともに、回路基板が組み込まれたシャーシ筐体と、シャーシ筐体の上面および下面を覆うシールド蓋と、からなる電子チューナであって、前記シールド蓋は、シャーシ筐体の上面を覆う上面シールド蓋部、シャーシ筐体の下面を覆う下面シールド蓋部およびこれらの上面シールド蓋部および下面シールド蓋部を一体に連設する側面シールド蓋部から形成され、前記シャーシ筐体の側面およびシャーシ筐体と交差する仕切板の端縁部にそれぞれ爪片が垂設されてＴ字状爪片が形成される一方、仕切板の交差部にそれぞれ爪片が垂設されて十字状爪片が形成され、また、前記シールド蓋の上面シールド蓋部または下面シールド蓋部にＴ字状爪片および十字状爪片が嵌挿可能なＴ字状スリットおよび十字状スリットが形成されていることを特徴とする電子チューナ。
【請求項２】
前記シャーシ筐体にシールド蓋が被せられ、シールド蓋の上面シールド蓋部または下面シールド蓋部のＴ字状スリットおよび十字状スリットにそれぞれ嵌挿されたＴ字状爪片の各爪片および十字状爪片の各爪片が折り曲げられることでシャーシ筐体にシールド蓋が固定されることを特徴とする請求項１記載の電子チューナ。
【請求項３】
前記Ｔ字状スリットおよび十字状スリットの断面形状が、対応するＴ字状爪片および十字状爪片の断面形状よりも相対的に小さいことを特徴とする請求項１記載の電子チューナ。
【発明の詳細な説明】
【０００１】
【発明の属する技術分野】
本発明は、テレビ受信機などの電子チューナに関するものである。
【０００２】
【従来の技術】
従来、テレビ受信機などの電子チューナ１０は、図８に示すように、仕切板１４によって内部が区画されるとともに、回路基板（図示せず）が組み込まれたシャーシ筐体１１と、シャーシ筐体１１の上面を覆うとともに、周縁部に係止片１２１を形成した上面シールド蓋１２と、シャーシ筐体１１の下面を覆うとともに、周縁部に係止片１３１を形成した下面シールド蓋１３と、から構成され、シャーシ筐体１１の各側面の上下端縁部や仕切板１４には、適宜な間隔をおいて凸片１５が形成され、また、上面シールド蓋１２および下面シールド蓋１３には、前述した凸片１５に対応して角穴状スリット１６が形成されている。
【０００３】
そして、このように構成された電子チューナ１０を組み立てる場合は、シャーシ筐体１１の上面に上面シールド蓋１２を被せ、シャーシ筐体１１の外周面に係止片１２１を添わせて挟持させるとともに、シャーシ筐体１１および仕切板１４の各凸片１５を上面シールド板１２のスリット１６に挿通し、凸片１５を折り曲げてシャーシ筐体１１に上面シールド蓋１２を固定する。同様に、シャーシ筐体１１の下面に下面シールド蓋１３を被せ、シャーシ筐体１１の外周面に係止片１３１を添わせて挟持させるとともに、シャーシ筐体１１の凸片１５を下面シールド板１３のスリット１６に挿通し、凸片１５を折り曲げてシャーシ筐体１１に下面シールド蓋１３を固定するものである（例えば、出願人の出願に係る特開平８−２６５１０５号公報参照）。
【０００４】
【発明が解決しようとする課題】
ところで、前述した電子チューナ１０を組み立てる場合、回路基板をシャーシ筐体１１に組み込み、チューナを調整した後、シャーシ筐体１１の上面および下面に上面シールド蓋１２および下面シールド蓋１３を順に被せて固定することから、上面シールド蓋１２の固定工程と下面シールド蓋１３の固定工程との２工程が必要となり、タクトタイムが大きくなり、コストが上昇するという問題があった。また、形状の似ている上面シールド蓋１２および下面シールド蓋１３を用意しなければならず、誤って上面シールド蓋１２の固定工程に下面シールド蓋１３が混入したり、その逆に、下面シールド蓋１３の固定工程に上面シールド蓋１２が混入するおそれがあり、保管や管理上紛らわしいという問題がある。さらに、シャーシ筐体１１に対して上面シールド蓋１２および下面シールド蓋１３を確実に固定するため、シャーシ筐体１１および仕切板１４に凸片１５を形成するとともに、上面シールド蓋１２および下面シールド蓋１３に角穴状のスリット１６を形成し、凸片１５をスリット１６に挿通した後、凸片１５を折り曲げるようにしているが、スリット１６の長手方向に沿って上面シールド蓋１２および下面シールド蓋１３がずれることがあり、シャーシ筐体１１に対する各シールド蓋１２，１３の取付位置の精度が低下するという欠点があった。
【０００５】
本発明は、このような問題点に鑑みてなされたもので、シャーシ筐体の上面および下面を覆うシールド蓋の混入を確実に防止するとともに、組立時の作業性を改善してコストを削減することのできる電子チューナを提供するものである。
【０００６】
【課題を解決するための手段】
本発明は、仕切板によって内部が区画されるとともに、回路基板が組み込まれたシャーシ筐体と、シャーシ筐体の上面および下面を覆うシールド蓋と、からなる電子チューナであって、前記シールド蓋は、シャーシ筐体の上面を覆う上面シールド蓋部、シャーシ筐体の下面を覆う下面シールド蓋部およびこれらの上面シールド蓋部および下面シールド蓋部を一体に連設する側面シールド蓋部から形成され、前記シャーシ筐体の側面およびシャーシ筐体と交差する仕切板の端縁部にそれぞれ爪片が垂設されてＴ字状爪片が形成される一方、仕切板の交差部にそれぞれ爪片が垂設されて十字状爪片が形成され、また、前記シールド蓋の上面シールド蓋部または下面シールド蓋部にＴ字状爪片および十字状爪片が嵌挿可能なＴ字状スリットおよび十字状スリットが形成されていることを特徴とするものである。
【０００７】
本発明によれば、シールド蓋が、シャーシ筐体の上面を覆う上面シールド蓋部、シャーシ筐体の下面を覆う下面シールド蓋部およびこれらの上面シールド蓋部および下面シールド蓋部を一体に連設する側面シールド蓋部から形成されていることにより、シールド蓋を一工程でシャーシ筐体に固定することが可能となり、作業時間が短縮され、製造コストを低減させることができるとともに、上面シールド蓋および下面シールド蓋の混入が解消され、保管や管理上有利となる。しかも、シャーシ筐体にシールド蓋を被せた際、Ｔ字状爪片および十字状爪片にそれぞれＴ字状スリットおよび十字状スリットが嵌挿されるため、シールド蓋の前後左右方向の位置ずれが発生せず、シャーシ筐体に対するシールド蓋の取付位置精度を確保することができる。
【００１０】
本発明において、前記シャーシ筐体にシールド蓋が被せられ、シールド蓋の上面シールド蓋部または下面シールド蓋部のＴ字状スリットおよび十字状スリットにそれぞれ嵌挿されたＴ字状爪片の各爪片および十字状爪片の各爪片が折り曲げられることでシャーシ筐体にシールド蓋が固定されると、シャーシ筐体に対してシールド蓋を離脱させることなく確実に固定することができるとともに、シャーシ筐体のシールド効果を向上させることができる。
【００１２】
本発明において、前記Ｔ字状スリットおよび十字状スリットの断面形状が、対応するＴ字状爪片および十字状爪片の断面形状よりも相対的に小さいと、シャーシ筐体にシールド蓋を被せ、Ｔ字状爪片および十字状爪片にそれぞれＴ字状スリットおよび十字状スリットを圧入することにより、シャーシ筐体に対してシールド蓋を確実に固定することができ、作業性がさらに良好となる。
【００１６】
【発明の実施の形態】
以下、本発明の実施の形態を図面を参照して説明する。
【００１７】
図１には、本発明の電子チューナ１の一実施形態が示されている。
【００１８】
この電子チューナ１は、シャーシ筐体２と、シャーシ筐体２の上面および下面を覆うシールド蓋３と、から構成され、シャーシ筐体２は、直交する２枚の仕切板４，４によって内部が区画され、回路基板（図示せず）が組み込まれるとともに、一側面に入出力端子５が配設されている。
【００１９】
シャーシ筐体２の上端縁および下端縁には、複数個の略逆台形状の爪片２１が適宜の間隔をおいて垂設されている。これらの爪片２１のうち、選択された適数個の爪片２１は、仕切板４を配設した際、仕切板４と交差する位置に対応して垂設されている。
【００２０】
また、仕切板４の上端縁の各端縁部および他の仕切板４との交差部となる略中間部の上端縁には、それぞれ略逆台形状の爪片４１が垂設されている。この場合、仕切板４，４が交差する略中間位置において、一方の仕切板４の下半部および他方の仕切板４の爪片４１を含む上半部には、それぞれ切れ目が形成されており、それらの切れ目をかみ合わせることにより、一対の仕切板４，４は直交して連結される。
【００２１】
このため、シャーシ筐体２に仕切板４，４を配置することにより、シャーシ筐体２の爪片２１および各仕切板４の端縁部の爪片４１とによって、上方より見て、Ｔ字状爪片６が形成され（図３参照）、また、連結された仕切板４，４の交差部における爪片４１，４１によって、上方より見て、十字状爪片７が形成される（図４参照）。
【００２２】
一方、シールド蓋３は、図２に展開図を示すように、上面シールド蓋部３１の下端縁に、折り目ａ，ｂを介して順に側面シールド蓋部３２および下面シールド蓋部３３が連設されて形成され、上面シールド蓋部３１および下面シールド蓋部３３の、側面シールド蓋部３２との折り目ａ，ｂを除く各周縁部には、折り目ｃを介して係止片３４がそれぞれ形成されている。そして、シールド蓋３の側面シールド蓋部３２は、シャーシ筐体２の他側面と略一致する大きさに形成され、また、上面シールド蓋部３１および下面シールド蓋部３３は、シャーシ筐体２の上面および下面をそれぞれ覆う大きさに形成されている。
【００２３】
また、シールド蓋３の上面シールド蓋部３１および下面シールド蓋部３３には、前述したシャーシ筐体２に形成された略逆台形状の爪片２１と、仕切板４に形成された略逆台形状の爪片４１に対応する位置にスリットが形成されている。具体的には、上面シールド蓋部３１の、側面シールド蓋部３２との折り目ａに沿って、入出力端子５が配設された一側面に対向するシャーシ筐体２の他側面の上端縁に垂設された爪片２１、該シャーシ筐体２の爪片２１および仕切板４の端縁部に垂設された爪片４１からなるＴ字状爪片６にそれぞれ対応して角穴状スリット３ａおよびＴ字状スリット３ｂが形成されている（図２および図３参照）。また、上面シールド蓋部３１の、左方の係止片３４との折り目ｃに沿って、シャーシ筐体２の左側面の上端縁に垂設された爪片２１および仕切板４の端縁部に垂設された爪片４１からなるＴ字状爪片６に対応してＴ字状スリット３ｂが形成されているとともに、上面シールド蓋部３１の、前方の係止片３４との折り目ｃに沿って、シャーシ筐体２の一側面の上端縁に垂設された爪片２１および仕切板４の端縁部に垂設された爪片４１からなるＴ字状爪片６に対応してＴ字状スリット３ｂが形成されている。さらに、上面シールド蓋部３１の略中央部に、仕切板４，４の略中間部に垂設された爪片４１，４１からなる十字状爪片７に対応して十字状スリット３ｃが形成されている（図２および図４参照）。
【００２４】
同様に、下面シールド蓋部３３の、側面シールド蓋部３２との折り目ｂに沿って、シャーシ筐体２の他側面の下端縁に垂設された爪片２１に対応して角穴状スリット３ａが形成されている。
【００２５】
これらの上面シールド蓋部３１に形成された角穴状スリット３１ａ、Ｔ字状スリット３１ｂおよび十字状スリット３１ｃの各周囲、下面シールド蓋部３３に形成された角穴状スリット３３ａの周囲には、それぞれ覆輪８が形成されている（図２乃至図４参照）。このように、各スリット３１ａ，３１ｂ，３１ｃ，３３ａの周囲に、膨出した覆輪８を形成することにより、各スリット３１ａ，３１ｂ，３１ｃ，３３ａを補強することができる。このため、後述するように、各スリット３１ａ，３１ｂ，３１ｃ，３３ａに爪片２１、爪片２１，４１からなるＴ字状爪片６、爪片４１，４１からなる十字状爪片７を嵌挿する際、各スリット３１ａ，３１ｂ，３１ｃ，３３ａの周縁が歪むことを防止できる。
【００２６】
また、側面シールド蓋部３２には、設定間隔をおいて形成された縦方向の複数本の切れ目３２ａと、縦方向の隣接する一対の切れ目３２ａの上端縁および下端縁をそれぞれ交互に連結するように形成された横方向の複数本の切れ目３２ｂとによって複数個のバネ片３２１が形成されている。そして、各バネ片３２１の先端部は、シャーシ筐体２の他側面に接触するように、内方に向けて突出されている（図２および図５参照）。
【００２７】
次に、このように構成された電子チューナ１の組立手順について説明する。
【００２８】
まず、シャーシ筐体２に直交して連結された仕切板４，４を配設するとともに、図示しない回路基板を組み込んだ後、チューナの調整を行う。
【００２９】
一方、図２に示す展開図にしたがって金属板を打ち抜き、シールド蓋３を形成する。すなわち、シールド蓋３の外形に沿って金属板を打ち抜き、その上面シールド蓋部３１の所定位置に角穴状スリット３１ａ、Ｔ字状スリット３１ｂおよび十字状スリット３１ｃを形成するとともに、下面シールド蓋部３３の所定位置に角穴状スリット３３ａを形成し、合わせて、これらのスリット３１ａ，３１ｂ，３１ｃ，３３ａの周縁部に覆輪８を形成する。さらに、側面シールド蓋部３２に縦方向の切れ目３２ａと横方向の切れ目３２ｂを形成し、これらの縦方向の切れ目３２ａおよび横方向の切れ目３２ｂからなる各バネ片３２１の先端部を、内方に向けて突出するように変形させる。次いで、上面シールド蓋部３１に対して各係止片３４を折り目ｃに沿って谷折りするとともに、下面シールド蓋部３３に対して各係止片３４を折り目ｃに沿って谷折りした後、下面シールド蓋部３３に対して側面シールド蓋部３２を折り目ｂに沿って谷折りし、さらに、側面シールド蓋部３２に対して上面シールド蓋部３１を折り目ａに沿って谷折りする。このようにして形成されたシールド蓋３（図１参照）は、固定工程に搬入される。
【００３０】
そして、シールド蓋３の固定工程において、チューナが調整されたシャーシ筐体２に、シールド蓋３が取り付けられる。すなわち、シールド蓋３の下面シールド蓋部３３に形成された角穴状スリット３３ａに、シャーシ筐体２の他側面の下端縁に形成された略逆台形状の爪片２１を嵌挿すると同時に、シャーシ筐体２を落し込み、その外周面を係止片３４によって挟み込む。この際、下面シールド蓋部３３の角穴状スリット３３ａは、側面シールド蓋部３２との折り目ｂに沿って形成されていることにより、シャーシ筐体２の他側面を側面シールド蓋部３２に沿って落し込むことにより、爪片２１を角穴状スリット３３ａに容易に嵌挿することができる。しかも、シャーシ筐体２の一側面の下端縁には、爪片２１が形成されていないため、取付位置を誤ることがない。
【００３１】
シールド蓋３の下面シールド蓋３３に対してシャーシ筐体２を取り付けたならば、側面シールド蓋部３２を、シャーシ筐体２の他側面に接するように、下面シールド蓋部３３に対して折り目ｂに沿って折り込むとともに、上面シールド蓋部３１を、側面シールド蓋部３２に対して折り目ａに沿って折り込み、シャーシ筐体２の上面を覆うように上面シールド蓋部３１を被せる。
【００３２】
この際、側面シールド蓋部３２に形成された各バネ片３２１は、内方に向けて突出されていることにより、シャーシ筐体２の他側面の外面に弾性変形して確実に接触し、シャーシ筐体２のシールド効果を向上させることができる。
【００３３】
一方、シャーシ筐体２の上面に上面シールド蓋部３１を被せると、シールド蓋３の上面シールド蓋部３１に形成された角穴状スリット３１ａが、シャーシ筐体２の他側面の上端縁に垂設された略逆台形状の爪片２１に嵌挿され、Ｔ字状スリット３１ｂが、シャーシ筐体２の上端縁に垂設された略逆台形状の爪片２１および仕切板４の端縁部に垂設された略逆台形状の爪片４１が交差することで形成されたＴ字状爪片６に嵌挿され、十字状スリット３１ｃが、仕切板４，４の略中間部に垂設された略逆台形状の爪片４１，４１が交差することで形成された十字状爪片７に嵌挿され、さらに、上面シールド蓋部３１の係止片３４がシャーシ筐体２の外周面を挟み込む。この際、上面シールド蓋部３１をシャーシ筐体２の上面に被せることにより、側面シールド蓋部３２との折り目ｂに沿って形成された角穴状スリット３１ａおよびＴ字状スリット３１ｂをシャーシ筐体２の他側面に形成された爪片２１およびＴ字状爪片６に容易に嵌挿することができる。
【００３４】
この後、シールド蓋３の上面シールド蓋部３１に形成された角穴状スリット３１ａ、Ｔ字状スリット３１ｂおよび十字状スリット３１ｃから突出された各爪片２１，４１を折り曲げるとともに、下面シールド蓋部３３に形成された角穴状スリット３１ａから突出された各爪片２１を折り曲げることにより、シャーシ筐体２にシールド蓋３を離脱させることなく確実に固定することができる。
【００３５】
この結果、上面シールド蓋部３１および下面シールド蓋部３３を側面シールド蓋部３２を介して一体に連設したシールド蓋３を採用することにより、シールド蓋３を一工程でシャーシ筐体２に固定することが可能となり、作業時間が短縮され、製造コストを低減させることができるとともに、上面シールド蓋および下面シールド蓋の混入が解消される。
【００３６】
また、シャーシ筐体２に爪片２１を、仕切板４に爪片４１をそれぞれ垂設し、シャーシ筐体２の爪片２１と仕切板４の爪片４１とからＴ字状爪片６を形成するとともに、仕切板４，４の爪片４１，４１から十字状爪片７を形成し、これらのＴ字状爪片６および十字状爪片７に対応して、シールド蓋３にＴ字状スリット３１ｂおよび十字状スリット３１ｃを形成し、Ｔ字状スリット３１ｂおよび十字状スリット３１ｃをそれぞれＴ字状爪片６および十字状爪片７に嵌挿することから、シャーシ筐体２に対してシールド蓋３の前後左右方向の位置ずれが防止され、シールド蓋３の取付位置精度を確保することができる。
【００３７】
ところで、前述した実施形態においては、シャーシ筐体２の爪片２１および仕切板４の爪片４１に対応して、これらの爪片２１，４１からなるＴ字状爪片６および爪片４１，４１からなる十字状爪片７が嵌挿可能なＴ字状スリット３１ｂおよび十字状スリット３１ｃをシールド蓋３の上面シールド蓋部３１に形成した場合を説明したが、図６および図７に示すように、略逆台形状の爪片２１，４１に代えて三角形状の爪片２１，４１を形成し、これらの爪片２１，４１および爪片４１，４１を組み合わせてＴ字状爪片６および十字状爪片７を形成するとともに、シールド蓋３にこれらのＴ字状爪片６および十字状爪片７の断面形状よりも相対的に小さな断面形状のＴ字状スリット３ｂおよび十字状スリット３ｃを形成し、Ｔ字状爪片６および十字状爪片７にシールド蓋３のＴ字状スリット３ｂおよび十字状スリット３ｃを圧入するようにしてもよい。このように、Ｔ字状爪片６および十字状爪片７の断面よりも相対的に小さな断面のＴ字状スリット３ｂおよび十字状スリット３ｃを形成して圧入する場合は、シールド蓋３が塑性変形し、爪片２１，４１の折り曲げを必要とすることなくシールド蓋３をシャーシ筐体２に固定することができる。
【００３８】
【発明の効果】
以上のように本発明によれば、組立時の作業性を改善することができるとともに、コストを削減することができ、また、シャーシ筐体の上面および下面を覆うシールド蓋の混入を確実に防止することができる。
【図面の簡単な説明】
【図１】本発明の電子チューナの一実施形態を示す分解斜視図である。
【図２】図１の電子チューナを構成するシールド蓋の展開図である。
【図３】図１のＴ字状爪片とＴ字状スリットの関係を示す拡大斜視図である。
【図４】図１の十字状爪片と十字状スリットの関係を示す拡大斜視図である。
【図５】図１の側面シールド蓋部に形成されたバネ片を一部省略して示す斜視図である。
【図６】Ｔ字状爪片とＴ字状スリットの変形例を示す拡大斜視図である。
【図７】十字状爪片と十字状スリットの変形例を示す拡大斜視図である。
【図８】従来の電子チューナを示す分解斜視図である。
【符号の説明】
１  電子チューナ
２  シャーシ筐体
２１  爪片
３  シールド蓋
３ａ  角穴状スリット
３ｂ  Ｔ字状スリット
３ｃ  十字状スリット
３１  上面シールド蓋部
３２  側面シールド蓋部
３３  下面シールド蓋部
４  仕切板
４１  爪片
６  Ｔ字状爪片
７  十字状爪片
８  覆輪
【図１】
0003988920.tif 000002
【図２】
0003988920.tif 000003
【図３】
0003988920.tif 000004
【図４】
0003988920.tif 000005
【図５】
0003988920.tif 000006
【図６】
0003988920.tif 000007
【図７】
0003988920.tif 000008
【図８】
0003988920.tif 000009